(57)【要約】【課題】本発明の目的は、プレス加工で複数のオリフィスを加工する燃料噴射弁において、オリフィス加工する順番を最適化することでオリフィスの変形を抑えることである。【解決手段】凸状の曲面部３０に開口する複数の凹部５５５と凹部５５５の底部に開口するオリフィス５５，５６とを備えたオリフィスプレート１５をプレス加工する方法であって、凹部の下流側の最小肉厚Ｌ１と凹部の径寸法Ｄとの間に０.５Ｄ≦Ｌ≦Ｄの関係を有して隣り合う凹部５５５，５６６が、これらの凹部が形成される前の曲面部３０の、凹部の中心軸線５５ｉ，５６ｉが交わる交点における法線５５ｄ，５６ｄと、凹部の中心軸線５５ｉ，５６ｉとの間に角度差αを有する場合に、凹部の中心軸線５５ｉ，５６ｉと法線５５ｄ，５６ｄとの関係又は角度差αに基づいて凹部５５５，５６６のプレス加工順番を決める。【選択図】  図４
2010174765.tif 000002
【特許請求の範囲】
【請求項１】
燃料噴射弁の中心軸線からの傾斜角度が異なる複数の凹部と、前記凹部の底部に開口し、前記凹部と略同芯で形成されたオリフィスと、複数の前記凹部が開口した凸状の曲面部とを備えたオリフィスプレートをプレス加工する方法であって、
凹部の下流側の最小肉厚Ｌと凹部の径寸法Ｄとの間に０.５Ｄ≦Ｌ≦Ｄの関係を有して隣り合う凹部の両方もしくは一方が、凹部が形成される前の前記曲面部の、前記凹部の中心軸線が交わる交点における法線と、前記中心軸線との間に角度差αを有し、上流側になるほど、前記中心軸線が前記法線に対して隣の穴に近づく側で前記法線から離れてゆく方向に形成されている場合、前記角度差αの大きい方の凹部を先にプレス加工することを特徴とするオリフィスの加工方法。
【請求項２】
燃料噴射弁の中心軸線からの傾斜角度が異なる複数の凹部と、前記凹部の底部に開口し、前記凹部と略同芯で形成されたオリフィスと、複数の前記凹部が開口した凸状の曲面部とを備えたオリフィスプレートをプレス加工する方法であって、
凹部の下流側の最小肉厚Ｌと凹部の径寸法Ｄとの間に０.５Ｄ≦Ｌ≦Ｄの関係を有して隣り合う凹部の両方が、凹部が形成される前の前記曲面部の、前記凹部の中心軸線が交わる交点における法線と、前記中心軸線との間に角度差αを有し、
一方の凹部の中心軸線が、上流側になるほど、法線に対して隣の穴に近づく側で前記法線から離れてゆく方向に形成されており、他方の凹部の中心軸線が、上流側になるほど、法線に対して隣の穴から遠ざかる側で前記法線から離れてゆく方向に形成されている場合、前記一方の凹部を先にプレス加工することを特徴とするオリフィスの加工方法。
【請求項３】
請求項１又は２に記載のオリフィスの加工方法において、
すべての凹部をプレス加工した後に、凹部をプレス加工したのと同じ加工順番で、各凹部に開口するオリフィスをプレス加工することを特徴とするオリフィスの加工方法。
【請求項４】
請求項１又は２に記載のオリフィスの加工方法において、
前記凹部を前記曲面部に開口する第一の凹部と前記第一の凹部に開口する第二の凹部とを有する二段で形成し、前記第一の凹部の径を前記第二の凹部の径に対して大きく、かつ前記第一の凹部の深さを前記第二の凹部の深さに対して浅く形成し、前記第一の凹部の全箇所、前記第二の凹部の全箇所、オリフィスの順にプレス加工し、前記第二の凹部及び前記オリフィスは前記第一の凹部をプレス加工したのと同じ加工順番でプレス加工することを特徴とするオリフィスの加工方法。
【請求項５】
請求項１乃至４のいずれか１項に記載のオリフィスの加工方法において、
前記曲面部は球面形状であることを特徴とするオリフィスの加工方法。
【請求項６】
請求項１乃至５のいずれか１項に記載のオリフィスの加工方法において、
ブランクをチャックした後、少なくとも前記凹部を形成する工程及び前記オリフィスを加工する工程はチャックを解除することなく行うことを特徴とするオリフィスの加工方法。
【請求項７】
請求項１乃至６のいずれか１項に記載のオリフィスの加工方法において、
前記ブランクは炭素量が０.２５％以上のマルテンサイト系ステンレス鋼であり、焼入れ後の硬さがＨＲＣ５２以上であることを特徴とするオリフィスの加工方法。
【発明の詳細な説明】
【技術分野】
【０００１】
本発明は、自動車の内燃機関に用いられて燃料を噴射する燃料噴射弁の燃料の噴射孔となるオリフィスの加工方法に関する。
【背景技術】
【０００２】
従来、燃料噴射弁の中心軸線からの傾斜角度が異なる複数の凹部と、凹部の底部に開口し、凹部と略同芯で形成されたオリフィスと、凹部が開口する凸状の曲面部とを備えたオリフィスプレートをプレス加工する方法が知られている。特許文献１は、凹部にパンチの曲げ低減機能とオリフィス長さの調整機能をもたせることを開示している。特許文献２は、凹部をオリフィスが開口する凹部Ｂと、凹部Ｂより径が大きく、曲面部に開口する凹部Ａの２段で構成し、凹部Ａにパンチの曲げ低減機能をもたせ、凹部Ｂにオリフィス長さの調整機能をもたせることを開示している。
【先行技術文献】
【特許文献】
【０００３】
【特許文献１】特開２００７−７７８４３号公報
【特許文献２】特開２００８−１０１４９９号公報
【発明の概要】
【発明が解決しようとする課題】
【０００４】
上記従来技術では、複数のオリフィスや凹部を加工する途中で、オリフィスを形成する部材の強度が小さくなると、次のオリフィスや凹部を加工した際に、プレス加工の塑性流動により、隣りのオリフィスや凹部を変形させることについての配慮が無い。そしてオリフィスの数が増えるほど、プレス加工の難しさが増すことになり、オリフィスの設計自由度（穴数，傾斜角度，間隔等）が制限される。
【０００５】
特に燃料噴射弁の中心軸線に対するオリフィスの傾斜角度をオリフィス毎に異ならせ、オリフィスを所望の方向に指向させようとすると、特定の凹部間、あるいは凹部とオリフィス間で距離が小さくなり、凹部同士或いは凹部とオリフィスとが変形し易くなる。凹部やオリフィスが変形すると、噴霧の狙い位置（噴射方向）がずれてしまう。
【０００６】
本発明の目的は、プレス加工で複数のオリフィスを加工する燃料噴射弁において、オリフィス加工する順番を最適化することでオリフィスの変形を抑えることである。
【課題を解決するための手段】
【０００７】
上記目的を達成するために、本発明のオリフィスの加工方法は、燃料噴射弁の中心軸線からの傾斜角度が異なる複数の凹部と、前記凹部の底部に開口し、前記凹部と略同芯で形成されたオリフィスと、複数の前記凹部が開口した凸状の曲面部とを備えたオリフィスプレートをプレス加工する方法であって、凹部の下流側の最小肉厚Ｌと凹部の径寸法Ｄとの間に０.５Ｄ≦Ｌ≦Ｄの関係を有して隣り合う凹部の両方もしくは一方が、凹部が形成される前の前記曲面部の、前記凹部の中心軸線が交わる交点における法線と、前記中心軸線との間に角度差αを有し、上流側になるほど、前記中心軸線が前記法線に対して隣の穴に近づく側で前記法線から離れてゆく方向に形成されている場合、前記角度差αの大きい方の凹部を先にプレス加工するものである。
【０００８】
また、上記目的を達成するために、本発明のオリフィスの加工方法は、燃料噴射弁の中心軸線からの傾斜角度が異なる複数の凹部と、前記凹部の底部に開口し、前記凹部と略同芯で形成されたオリフィスと、複数の前記凹部が開口した凸状の曲面部とを備えたオリフィスプレートをプレス加工する方法であって、凹部の下流側の最小肉厚Ｌと凹部の径寸法Ｄとの間に０.５Ｄ≦Ｌ≦Ｄの関係を有して隣り合う凹部の両方が、凹部が形成される前の前記曲面部の、前記凹部の中心軸線が交わる交点における法線と、前記中心軸線との間に角度差αを有し、一方の凹部の中心軸線が、上流側になるほど、法線に対して隣の穴に近づく側で前記法線から離れてゆく方向に形成されており、他方の凹部の中心軸線が、上流側になるほど、法線に対して隣の穴から遠ざかる側で前記法線から離れてゆく方向に形成されている場合、前記一方の凹部を先にプレス加工するものである。
【発明の効果】
【０００９】
本発明によれば、プレス加工で複数のオリフィスを加工する燃料噴射弁において、オリフィス加工の順番を最適化することでオリフィスの変形を抑えることができる。これにより、オリフィスの設計自由度と加工容易性を高めることができる。
【図面の簡単な説明】
【００１０】
【図１】燃料噴射弁の全体構成を示す縦断面図。
【図２】オリフィスプレート１５の斜視図。
【図３】オリフィスプレート１５の縦断面図。
【図４】図２のＢ−Ｂ断面図。
【図５】図２のＣ−Ｃ断面図。
【図６】加工順番を決定するためのフローチャート。
【図７】凹部を順番違いで加工した場合のオリフィス部拡大図。
【図８】凹部５７７を加工している状態の図。
【図９】オリフィス５７を加工している状態の図。
【発明を実施するための形態】
【００１１】
以下、本発明の実施例を図面に基づき詳細に説明する。図１は、本発明の実施例によるオリフィスプレートを備えた噴射弁の全体構成を示す縦断面図である。尚、本実施例の噴射弁は、ガソリン等の燃料を噴射する燃料噴射弁であり、自動車のエンジンに燃料を噴射するために用いられるものである。
【００１２】
燃料噴射弁本体１は、コア２，ヨーク３，ハウジング４，可動子５からなる磁気回路，磁気回路を励磁するコイル６、及びコイル６に通電する端子ボビン７を備えている。コア２とハウジング４の間にはシールリング８が結合され、コイル６に燃料等の流体が流入するのを防いでいる。
【００１３】
ハウジング４の内部にはバルブ部品が収納され、可動子５，ノズル９，可動子５のストローク量を調整するリング１０が配置されている。可動子５は、弁体１１と可動コア１２をジョイント１３で結合したものであり、可動コア１２とジョイント１３の間にはパイプ１８と共同して可動子５が閉弁した時のバウンドを抑えるプレート１４を備えている。
【００１４】
外套部材を構成するハウジング４とノズル９は、可動子５の周囲を覆っている。ノズル９には、先端に円錐面を成すシート面１５ａ（弁座）及びオリフィス５４〜５９を有するオリフィスプレート１５と、ガイドプレートＡ１６と共に可動子５を摺動可能にガイドするガイドプレートＢ１７とが設けられている。オリフィスプレート１５及びガイドプレートＢ１７は、ノズル９に対して、それぞれ別体として構成されているものであってもよいし、これらを一体化して構成されているものでもよい。
【００１５】
コア２の内部には弁体１１をシート面１５ａにパイプ１８とプレート１４を介して押圧するスプリング１９，スプリング１９の押圧荷重を調整するアジャスタ２０，外部からのコンタミの進入を防ぐフィルター２１が配置されている。
【００１６】
次に、燃料噴射弁本体１の動作について詳細に説明する。
【００１７】
コイル６に通電すると、可動子５がスプリング１９の付勢力に抗してコア２の方向に吸引され、可動子５の先端の弁シート部１１ａとシート面１５ａとの間に隙間ができる（開弁状態）。加圧されている燃料はまずコア２，アジャスタ２０，パイプ１８から可動子５内の燃料通路１３ａを経てノズル９内に入る。次にガイドプレートＡ１６の燃料通路１６ａ，ノズルの通路９ａから、ガイドプレートＢの通路１７ａに入り、弁シート部１１ａとシート面１５ａの隙間からオリフィス５４〜５９を経て噴射される。オリフィス５４〜５９は、燃料噴射弁の中心軸線に対して偏向した方向に、異なる角度で形成されている。
【００１８】
一方、コイル６の電流を遮断した場合には、可動子５の弁シート部１１ａがスプリング１９の力でシート面１５ａに当接し、閉弁状態となる。
【００１９】
次に、燃料噴射弁本体１のオリフィスプレート１５及びオリフィス５４〜５９の構成について詳細に説明する。
【００２０】
図２はオリフィスプレート１５の斜視図であり、図３はオリフィスプレート１５の縦断面図である。
【００２１】
オリフィスプレート１５は、略円板状の金属製のプレートからなり、一端面の略中央部には、凸状の曲面部としての球面部３０が一体的に設けられており、球面部３０の反対側端面には、弁座を構成する略円錐形状のシート面１５ａが設けられている。
【００２２】
この球面部３０には、燃料を噴射するためのオリフィス５４，５５，５６，５７，５８，５９が、燃料噴射弁の中心軸線（ノズルの軸線１５ｂに一致）に対して角度θ（図３参照）をもった方向、つまり、偏向した方向に形成されている。尚、本実施例では、θがオリフィス毎に異なっており、オリフィスはそれぞれ所望の方向を指向するように形成されている。勿論、θが同じものがあってもよい。
【００２３】
弁体１１は、これらのオリフィスの上流側となるシート面１５ａに離接可能に設けられている。
【００２４】
以上のように、オリフィス５４，５５，５６，５７，５８，５９を、ノズルの軸線１５ｂに対して偏向した方向に異なる角度で形成することで、燃料を任意の方向に噴射可能であるため、噴射方向を変えることで各メーカのエンジン仕様に合わせた燃焼コンセプトに対応するさまざまな噴霧パターンを形成することができる。吸気バルブを避けて噴射し，点火プラグ回りに燃料を集めることで、燃焼室内に均一に噴射することができ、微粒化を損なうことなく極めて理想的に空気との混合気を形成できる。
【００２５】
図３に示すように各々のオリフィス５４，５５，５６，５７，５８，５９の下流側には凹部５４４，５５５，５６６，５７７，５８８，５９９が設けられている。凹部の径をφＤとする。
【００２６】
隣り合う凹部の下流側の最小肉厚Ｌは、凹部５５５と凹部５６６の肉厚をＬ１、凹部５４４と凹部５５５の肉厚をＬ２、凹部５４４と凹部５９９の肉厚をＬ３、凹部５８８と凹部５９９の肉厚をＬ４、凹部５７７と凹部５８８の肉厚をＬ５、凹部５６６と凹部５７７の肉厚をＬ６とする。これらは下記寸法関係で形成されている。
【００２７】
０.５Ｄ≦Ｌ１≦Ｄ
０.５Ｄ≦Ｌ２≦Ｄ
０.５Ｄ≦Ｌ３≦Ｄ
Ｄ＜Ｌ４
Ｄ＜Ｌ５
Ｄ＜Ｌ６
【００２８】
図２のＢ−Ｂ断面図を図４、図２のＣ−Ｃ断面図を図５に示す。オリフィスの中心軸線５４ｉ〜５９ｉと球面部３０との交点を通る球面部３０の法線５４ｄ〜５９ｄとオリフィスの中心軸線５４ｉ〜５９ｉとの角度差をα５４〜α５９とする。偏向角度θの値により角度差αが決まる。隣り合う２つのオリフィスを断面にした時に、中心軸線５４ｉ〜５９ｉと球面部（但し、凹部５４４〜５９９が形成される前の球面部）３０との交点又は中心軸線５４ｉ〜５９ｉと法線５４ｄ〜５９ｄとの交点から上流側において、上流側になるほど、中心軸線５４ｉ〜５９ｉが法線５４ｄ〜５９ｄに対して隣の穴（凹部５４４〜５９９又はオリフィス５４〜５９）に近づく側で法線５４ｄ〜５９ｄから離れてゆく方向に形成されている場合を穴の向きが隣の穴に対して内向きであると定義し、中心軸線５４ｉ〜５９ｉが法線５４ｄ〜５９ｄに対して隣の穴（凹部５４４〜５９９又はオリフィス５４〜５９）から遠ざかる側で法線５４ｄ〜５９ｄから離れてゆく方向に形成されている場合を穴の向きが隣の穴に対して外向きであると定義する。
【００２９】
例えば図４においては、オリフィス５５はオリフィス５６に対して外向きであり、オリフィス５６はオリフィス５５に対して内向きである。また、例えば図５においては、オリフィス５４はオリフィス５５に対して内向きであり、オリフィス５５はオリフィス５４に対して内向きである。
【００３０】
尚、断面図は省略するが、オリフィス５９はオリフィス５４に対して外向きであり、オリフィス５４はオリフィス５９に対して外向きで形成されている。
【００３１】
凹部の底面５４４ｓ〜５９９ｓはオリフィスの中心軸線５４ｉ〜５９ｉと略直角に交わる面となるように形成されており、これらの凹部の中心軸線とオリフィスの中心軸線は、ほぼ一直線となるようになっている。そのため、流体の噴射タイミングが全周同一になり、ノズルの軸線１５ｂに対して偏向したオリフィスでもペネトレーションの長さを均一にでき、噴霧の均質性を向上することができる。また凹部の深さは周方向に沿って変化している。
【００３２】
また図３に示すように、オリフィス５４とオリフィス５７とは、中心線５４ｉとノズル軸線（本実施例では弁軸線と一致）１５ｂとが成す角度θ５４と中心線５７ｉとノズル軸線１５ｂとが成す角度θ５７とが、異なっている。全てのオリフィス５４，５５，５６，５７，５８，５９で角度θを異ならせても良いし、複数の組に分け組毎に角度θを異ならせても良い。また全てのオリフィスで角度θを同じにしてもよいが、後述するように角度θの異なるオリフィスがある場合に、本実施例は特に有効である。
【００３３】
オリフィス５４〜５９は、凸状の球面部３０の球面上に形成された凹部の底部５４４ｓ〜５９９ｓに出口側開口を有し、シート面１５ａを構成する略円錐形状面状に入口側開口を有する。
【００３４】
オリフィス長さはペネトレーションの長さへの感度が大きい。凹部の深さ（段差）を適時変更することにより、オリフィスの長さを最適に設定することができ、噴霧形状を最適にしたり、加工性を容易にすることができる。このため、オリフィス毎に凹部の少なくとも２つの間では、深さが異なっている。この時、オリフィスプレート先端部１５ｃの厚みを変える必要がないため、オリフィスプレート１５の剛性が落ちない。よって、オリフィスプレート先端部１５ｃにかかる圧力の大きい１０ＭＰａ以上の高燃圧タイプの噴射弁に好適である。
【００３５】
このように、オリフィスの入口を弁座面に開口させる形態では、厚さが薄く均一な板状部材にオリフィスを形成する場合に比べて、オリフィスを加工する部材の厚みが厚くなる。特に、オリフィスの入口開口をノズルの軸線１５ｂ（燃料噴射弁の中心軸線に一致）を中心とする円周上に配置し、ノズルの軸線１５ｂに対するオリフィスの傾斜角度θをオリフィス間で異ならせた場合、オリフィスの出口開口はノズルの軸線１５ｂを中心とする円周上に並ばなくなる。この場合、オリフィスを貫通させる距離がオリフィス毎に異なることとなり、結果としてオリフィス長さが異なってしまう。従って、このような形態では特に、凹部によりオリフィスの長さを調整することが重要になってくる。
【００３６】
多くのオリフィスをプレス加工する場合、凹部下流側の最小肉厚Ｌが凹部の径寸法Ｄ以下となった場合に、隣り合う凹部が塑性流動により変形しやすくなる。特にノズルの軸線１５ｂに対する傾斜角度θをオリフィス毎に異ならせ、オリフィスを所望の方向に指向させようとすると、特定の凹部間で変形が起こりやすくなる。よって、凹部の径，凹部の深さ、及び凹部の傾斜角度θを自由に変更することが難しくなる。
【００３７】
本実施例では、凹部下流側の最小肉厚Ｌ，凹部の径寸法Ｄとの間に、０.５Ｄ≦Ｌ≦Ｄが成立している場合に、凹部の加工順番を最適化することでそれらの問題を解決した。これにより、加工精度が高く、加工の容易な、設計自由度の高い凹部及びオリフィスを実現することができる。特に、穴数を６穴以上としたい時に、本実施例は有効である。
【００３８】
以下、凹部の加工順番の最適化について述べる。
【００３９】
図６に加工順番を決定するためのフローチャートを示す。
【００４０】
まず、図４に示した凹部５５５と凹部５６６の加工順番を決める手順を示す。
（１）最小肉厚Ｌについて
０.５Ｄ≦Ｌ１≦Ｄ
（２）法線との角度差αについて
凹部５５５と凹部５６６どちらも角度差がある
（３）穴の向き
凹部５５５は凹部５６６に対して外向きであり、凹部５６６は凹部５５５に対して内向きである。
【００４１】
これらを図６のフローチャートにかけると、「内向き穴を先に加工」という結論が得られる。つまり、凹部５６６を凹部５５５より先に加工する。
【００４２】
次に、図５に示した凹部５４４と凹部５５５の加工順番を決める手順を示す。
（１）最小肉厚Ｌについて
０.５Ｄ≦Ｌ２≦Ｄ
（２）法線との角度差αについて
凹部５４４と凹部５５５どちらも角度差がある
（３）穴の向き
凹部５４４は凹部５５５に対して内向きであり、凹部５５５は凹部５４４に対して内向きである。
【００４３】
これらを図６のフローチャートにかけると、「αが大きい穴を先に加工」という結論が得られる。つまり、凹部５５５を凹部５４４より先に加工する。
【００４４】
以上により、凹部５４４，凹部５５５，凹部５６６の加工順番は、まず凹部５６６、次に凹部５５５、最後に凹部５４４の順番となる。
【００４５】
凹部５４４と凹部５９９に関しては、０.５Ｄ≦Ｌ３≦Ｄであるが、穴の向きがどちらも外向きであるため、本発明法は適用外であり、加工順番は自由に設定できる。
【００４６】
また、凹部５９９と凹部５８８、凹部５８８と凹部５７７、凹部５７７と凹部５６６に関しては、Ｌ４〜Ｌ６がＤより大きいので、本発明法は適用外であり、加工順番は自由に設定できる。
【００４７】
よって最終的に、加工順番は、まず凹部５６６、次に凹部５５５、次に凹部５４４、次に凹部５９９、次に凹部５８８、最後に凹部５７７の順番となる。尚、凹部５４４，凹部５５５，凹部５６６以外の加工順番は上記以外でもかまわない。
【００４８】
図７は凹部を順番違い（凹部５４４を凹部５５５よりも先に加工）で加工した場合のオリフィス部拡大図である。
【００４９】
オリフィスプレート１５のプレス加工前ブランクは端面の略中央部に球面部３０を有し、球面部３０の反対側端面には、椀状の凹部３０ａが形成されている。
【００５０】
まず、軸線５４ｉに沿って凹部加工パンチ４３の刃先部４３ａで球面部３０を押圧し、凹部５４４が形成される。この時、パンチ押し込み深さＹがＤ／４より小さい時、パンチにより押し出された材料は椀状の凹部３０ａ内にはほとんど流れず、その大部分は径方向、あるいは後方に流れる。ＹがＤ／４以上となると、パンチにより押し出された材料は大部分が椀状の凹部３０ａ内に流れ、盛上り部５４４ｅが形成される。
【００５１】
次に軸線５５ｉに沿って凹部加工パンチ４３の刃先部４３ａで球面部３０を押圧すると、パンチ押し込み深さＹがＤ／４より小さい時、パンチにより押し出された材料は椀状の凹部３０ａ内にはほとんど流れず、その大部分は径方向、あるいは後方に流れる。このとき、穴間の剛性、及びパンチの進行方向が隣の穴を変形させる要因となる。具体的には、凹部５５５のように、隣の穴（凹部５４４）との最小肉厚Ｌ２が凹部径Ｄの寸法以下であり、隣の穴に対して内向きである穴を加工すると、角度差αが大きいほど、隣の穴の側壁部に材料が流動しやすくなる。このため、凹部５４４の下流側の一部分に変形部６０を生じ、噴霧の均質化を阻害する要因となる。
【００５２】
ただし、本発明法によっても、Ｌ＜０.５Ｄの条件では、穴間の剛性が著しく低下するため、変形部６０の発生を防止できなくなる。
【００５３】
凹部の加工終了後、オリフィスを加工するが、オリフィスに関しても同様に穴間の剛性、及びパンチの進行方向が隣の穴を変形させる要因となる。そのため、オリフィスの加工順番はオリフィスが開口する凹部の加工順番と同じくすることが好ましい。よって、まずオリフィス５６、次にオリフィス５５、次にオリフィス５４、次にオリフィス５９、次にオリフィス５８、最後にオリフィス５７の順番となる。
【００５４】
以下、オリフィスプレート１５の加工方法について述べる。
【００５５】
図８は凹部５７７を加工している状態の図である。
【００５６】
まず、オリフィスプレート１５のプレス加工前ブランクをダイ４１の上面に設置し、外径をコレットチャック４２で強固に保持する。更に、ブランクを保持したままパンチ４３の切り刃部４３ａで球面部３０を押圧し、まず凹部５６６、次に凹部５５５、次に凹部５４４、次に凹部５９９、次に凹部５８８、最後に凹部５７７の順で袋穴状に押出し加工する。この時、椀状の凹部３０ａの内部には盛上り部５６６ｅ，５５５ｅ，５４４ｅ，５９９ｅ，５８８ｅ，５７７ｅが形成される。尚、凹部の加工は、プレス加工するとともに表面を加工硬化させるものであることが好ましい。このように、プレス加工により凹部を成形することで、面粗度のよい凹部が得られる。
【００５７】
凹部５４４〜５９９をすべて加工した後に、オリフィス５４〜５９を凹部と同じ順番で加工する。図９はオリフィス５７を加工している状態の図である。
【００５８】
オリフィスプレート１５をコレットチャック４２で保持したままの状態で、凹部５６６の底面部５６６ｓに直角にパンチ４５の切り刃部４５ａを押圧し、オリフィス５６を袋穴状に押出し加工する。この時、椀状の凹部３０ａの内部には、盛上り部５６６ｅよりも大きな盛上り部５６ｆが形成される。次にオリフィス５５、次にオリフィス５４、次にオリフィス５９、次にオリフィス５８、最後にオリフィス５７を加工する。この時、椀状の凹部３０ａの内部には盛上り部５５ｆ，５４ｆ，５９ｆ，５８ｆ，５７ｆが形成される。このように、オリフィスプレート１５にプレス加工によりオリフィスを成形することで、図９に示すような、凹部の底面にオリフィスを有するオリフィスプレート１５が得られる。尚、オリフィスプレート１５は、コレットチャック４２で保持された状態であるため、位置決め穴を基準として、凹部，オリフィスの中心軸線がほぼ一直線となるように、位置精度、及び同軸度良く加工される。また、オリフィスは、袋穴状にプレス加工することにより内面を全せん断面に加工でき、表面あらさを著しく向上できる。この時、凹部加工時に盛上り部５４４ｅ〜５９９ｅを形成しておくことで、オリフィス加工パンチを椀状の凹部３０ａの内部まで入れても、パンチ４５の切り刃部４５ａが及ぼす材料の引張り力を小さくできるため、盛上り部５４４ｅ〜５９９ｅに破断が走らず、オリフィス５４〜５９を全せん断面で形成でき、噴霧ばらつきを抑えることができる。
【００５９】
最後に、オリフィスを袋穴状に成形することによって、球面部３０の反対側端面の凹部に形成された盛上り部５４ｆ〜５９ｆは、図３に示すように略円錐状のシート面１５ａ（弁座）を加工することで削除され、オリフィスがシート面１５ａ側に貫通する。この際の加工方法は旋削、あるいは放電加工で行う。これによりオリフィスを全せん断面で形成することができる。燃料が定圧時の流量はオリフィス径の感度が大きく、流量の管理には穴径の正確な管理が必要である。本実施例によれば、穴径の管理はパンチ径の管理のみでよいため、管理が容易である。これに対し、打ち抜き加工によるオリフィスは破断面の穴径が大きくなり、また破断面の長さがばらつくため、本実施例品に比べて穴径管理が困難である。また、放電加工によるオリフィスは電極径の管理の他に、加工速度，電圧等の加工条件の管理が必要であり、本実施例品に比べて穴径管理が困難である。
【００６０】
このように、オリフィスの下流側となる球面部に、オリフィスの中心軸線と同芯で、略垂直な面をもった凹部を形成することで、それぞれ噴射方向の異なるオリフィスをプレス加工で精度良く容易に加工できる。よって、炭素量０.２５％以上のマルテンサイト系ステンレス鋼（例えばＳＵＳ４２０Ｊ２）でもアスペクト比１.５以上のオリフィスをプレスで容易に加工することができる。尚、炭素量０.２５％以上のマルテンサイト系ステンレス鋼を用いた場合には、焼入れ後の硬さがＨＲＣ５２以上であることがより望ましい。
【００６１】
また、加工順番の最適化により、凹部の下流側が変形しないため、凹部の変形部に噴霧が当って噴霧にすじが入るのを防止でき、さらに、凹部の変形部に当った燃料がエンジンのシリンダー内に滴下して、カーボン等の異物が発生するのを防止できる。
【００６２】
また、オリフィスの出口がオリフィスの軸線と直角面となるため、流体の噴射タイミングが全周同一になり、噴射弁の軸線に対して偏向したオリフィスでもペネトレーションの長さを均一にでき、噴霧の均質性を向上することができる。
【００６３】
また、凹部とオリフィスをプレス加工することができるため、例えば放電加工や切削加工でオリフィスを加工したものに比べ面粗度良く加工できる。このため、筒内噴射時に燃料が燃焼して生じるカーボン等の燃えカスの凹部、及びオリフィスへの付着を低減でき、噴霧の微粒化、及び形状・位置精度の向上が可能となる。ガソリン車の実車走行試験において、放電加工によりオリフィスを加工したオリフィスプレートを使用した燃料噴射弁は、３０,０００km走行時に、燃えカスが凹部とオリフィスに付着し、流量が１５％低下することが実験的に明らかになっている。それに対し、本実施例品は放電加工品に比べて、凹部及びオリフィスの同軸度と面粗度が良いため、燃えカスの凹部、及びオリフィスへの付着を低減でき、流量の変化は１.７％以下に抑えることができた。
【００６４】
また、ブランクをチャックしたまま、凹部、及びオリフィスを加工することにより、噴射弁の軸線に対して偏向した複数個のオリフィスが、位置合せを必要とすること無く、加工することができる。
【００６５】
また、本実施例によりオリフィスをプレス加工する方法は、放電加工でオリフィスを加工する方法と比べ、１穴当りの加工時間を１／３０程度にできるため、設備投資を抑えることができ、放電加工品と比べて安価なオリフィスプレートを提供することができる。
【００６６】
以上、本発明の実施例を具体的に説明したが、本発明はこれに限られることなく、発明思想の範囲内で種々の変更が可能である。
【００６７】
上記実施例では、凹部が一段である場合について述べたが、凹部を、曲面部に開口する第一の凹部、及びオリフィスが開口する第二の凹部の二段で形成し、第一の凹部の径を第二の凹部の径に対し大きく形成し、第一の凹部の深さを第二の凹部の深さに対し浅く形成したものについても有効である。フローチャートに沿って第一の凹部の全箇所の加工順番を決め、それと同様の順番で、第二の凹部の全箇所，オリフィス全箇所の順で加工する。
【００６８】
上記実施例では、凹部が形成される領域を球面部３０として説明したが、球面以外の曲面状のものであってもよい。
【００６９】
また、上記実施例では、オリフィスを押出し加工により成形したが、打抜き加工によってオリフィスを成形後、上流側からシート面を切削、あるいは放電加工によって形成する際に、オリフィスの破断面を削除して、全せん断面でオリフィスを形成するものであっても良い。
【００７０】
本実施例においては、隣り合うオリフィス間でオリフィスが変形するのを防ぎ、オリフィスの設計自由度（穴数，傾斜角度，間隔等）を高めることができる。
【符号の説明】
【００７１】
１  噴射弁本体
１５  オリフィスプレート
１５ａ  シート面
３０  球面部
４１  ダイ
４２  コレットチャック
４３，４５  パンチ
４３ａ，４５ａ  パンチ切り刃部
５４〜５９  オリフィス
６０  変形部
５４４〜５９９  凹部
【図１】
2010174765.tif 000003
【図２】
2010174765.tif 000004
【図３】
2010174765.tif 000005
【図４】
2010174765.tif 000006
【図５】
2010174765.tif 000007
【図６】
2010174765.tif 000008
【図７】
2010174765.tif 000009
【図８】
2010174765.tif 000010
【図９】
2010174765.tif 000011